(57)【要約】【課題】カセッテの出入口部から蓄積性蛍光体シートを容易に取り出す。【解決手段】収容体１８に収容される蓄積性蛍光体シート１６と、蓄積性蛍光体シート１６の一端に取り付けられ、蓄積性蛍光体シート１６を収容体１８に収容した状態で収容体１８から露出する第１ガイドシート１４２と、を有するガイドシート付き蓄積性蛍光体シート１４０。【選択図】図３
2013228464.tif 000002
【特許請求の範囲】
【請求項１】
収容体に遮光状態で収容され、該収容体の端部に設けられた出入口部から出し入れ可能な蓄積性蛍光体シートと、
前記蓄積性蛍光体シートの一端に取り付けられ、前記蓄積性蛍光体シートを前記収容体に収容した状態で前記出入口部から外部へ露出する第１ガイドシートと、
を有するガイドシート付き蓄積性蛍光体シート。
【請求項２】
前記第１ガイドシートは、前記蓄積性蛍光体シートよりも塑性変形し難い請求項１に記載のガイドシート付き蓄積性蛍光体シート。
【請求項３】
前記収容体は、可撓性を有する請求項１又は２に記載のガイドシート付き蓄積性蛍光体シート。
【請求項４】
前記第１ガイドシートは、前記蓄積性蛍光体シート又は前記第１ガイドシートの端部に形成された切り欠き部に、前記第１ガイドシート又は前記蓄積性蛍光体シートの端部に形成された突片部を収容することによって前記蓄積性蛍光体シートに取り付けられている請求項１〜３の何れか１項に記載のガイドシート付き蓄積性蛍光体シート。
【請求項５】
前記第１ガイドシートは、前記蓄積性蛍光体シートに着脱可能に取り付けられている請求項１〜４の何れか１項に記載のガイドシート付き蓄積性蛍光体シート。
【請求項６】
前記第１ガイドシートの表面は、凹凸面又は粗面となっている請求項１〜５の何れか１項に記載のガイドシート付き蓄積性蛍光体シート。
【請求項７】
前記第１ガイドシートには、前記蓄積性蛍光体シートが送り込まれる搬送ローラへ磁力により引き付けられる磁性体が設けられている請求項１〜６の何れか１項に記載のガイドシート付き蓄積性蛍光体シート。
【請求項８】
前記蓄積性蛍光体シートの他端に、前記蓄積性蛍光体シートよりも塑性変形し難い第２ガイドシートが取り付けられている請求項１〜７の何れか１項に記載のガイドシート付き蓄積性蛍光体シート。
【発明の詳細な説明】
【技術分野】
【０００１】
本発明は、カセッテに収容される蓄積性蛍光体シートに関する。
【背景技術】
【０００２】
特許文献１には、可撓性を有するカセッテが開示されている。このカセッテは、遮光状態で蓄積性蛍光体シートを収容し、例えば、金属パイプの溶接箇所の適否を放射線撮影して検査する際に、この金属パイプの溶接箇所に巻き付けて使用する。
【０００３】
しかし、このような可撓性のカセッテは、蓄積性蛍光体シートが出し入れされる出入口部以外には開口部がない密閉状態の構造になっているので、この出入口部から蓄積性蛍光体シートを取り出すことが難しい。
【先行技術文献】
【特許文献】
【０００４】
【特許文献１】米国特許第５７１２４８６号明細書
【発明の概要】
【発明が解決しようとする課題】
【０００５】
本発明は係る事実を考慮し、カセッテの出入口部から蓄積性蛍光体シートを容易に取り出すことを課題とする。
【課題を解決するための手段】
【０００６】
請求項１に記載の発明は、収容体に遮光状態で収容され、該収容体の端部に設けられた出入口部から出し入れ可能な蓄積性蛍光体シートと、前記蓄積性蛍光体シートの一端に取り付けられ、前記蓄積性蛍光体シートを前記収容体に収容した状態で前記出入口部から外部へ露出する第１ガイドシートと、を有するガイドシート付き蓄積性蛍光体シートである。
【０００７】
請求項１に記載の発明では、蓄積性蛍光体シートの一端に取り付けられた第１ガイドシートが収容体の出入口部から外部へ露出しているので、この第１ガイドシートを引っ張ることによって、収容体から蓄積性蛍光体シートを容易に取り出すことができる。
【０００８】
請求項２に記載の発明は、請求項１に記載のガイドシート付き蓄積性蛍光体シートにおいて、前記第１ガイドシートは、前記蓄積性蛍光体シートよりも塑性変形し難い。
【０００９】
請求項２に記載の発明では、放射線画像読取装置内等において搬送ローラによりガイドシート付き蓄積性蛍光体シートが搬送される場合に、搬送ローラへ第１ガイドシートが先行して送り込まれるので、蓄積性蛍光体シートがカールしていても、ジャミング等のトラブルを起こすことなく、搬送ローラにより安定してガイドシート付き蓄積性蛍光体シートを搬送することができる。
【００１０】
請求項３に記載の発明は、請求項１又は２に記載のガイドシート付き蓄積性蛍光体シートにおいて、前記収容体は、可撓性を有する。
【００１１】
請求項３に記載の発明では、蓄積性蛍光体シートが収容された可撓性を有する収容体を、放射線画像撮影の被写体に巻き付けたり（例えば、金属パイプ等に巻き付けたり）、被写体の曲面に添わせたりして使用することができる。
【００１２】
請求項４に記載の発明は、請求項１〜３の何れか１項に記載のガイドシート付き蓄積性蛍光体シートにおいて、前記第１ガイドシートは、前記蓄積性蛍光体シート又は前記第１ガイドシートの端部に形成された切り欠き部に、前記第１ガイドシート又は前記蓄積性蛍光体シートの端部に形成された突片部を収容することによって前記蓄積性蛍光体シートに取り付けられている。
【００１３】
請求項４に記載の発明では、取り付け部分の厚さを厚くすることなく、確実に第１ガイドシートを蓄積性蛍光体シートに取り付けることができる。
【００１４】
請求項５に記載の発明は、請求項１〜４の何れか１項に記載のガイドシート付き蓄積性蛍光体シートおいて、前記第１ガイドシートは、前記蓄積性蛍光体シートに着脱可能に取り付けられている。
【００１５】
請求項５に記載の発明では、放射線撮影において蓄積性蛍光体シートが収容された収容体を被写体に取り付ける際に、蓄積性蛍光体シートから第１ガイドシートを外しておけば、収容体を被写体に収まり易くすることができる。
【００１６】
請求項６に記載の発明は、請求項１〜５の何れか１項に記載のガイドシート付き蓄積性蛍光体シートにおいて、前記第１ガイドシートの表面は、凹凸面又は粗面となっている。
【００１７】
請求項６に記載の発明では、第１ガイドシートの表面の摩擦抵抗を大きくすることにより、搬送ローラにより確実に第１ガイドシートを送り出す（引き出す）ことができる。
【００１８】
請求項７に記載の発明は、請求項１〜６の何れか１項に記載のガイドシート付き蓄積性蛍光体シートにおいて、前記第１ガイドシートには、前記蓄積性蛍光体シートが送り込まれる搬送ローラへ磁力により引き付けられる磁性体が設けられている。
【００１９】
請求項７に記載の発明では、第１ガイドシートを搬送ローラへ導き易くすることができる。
【００２０】
請求項８に記載の発明は、請求項１〜７の何れか１項に記載のガイドシート付き蓄積性蛍光体シートにおいて、前記蓄積性蛍光体シートの他端に、前記蓄積性蛍光体シートよりも塑性変形し難い第２ガイドシートが取り付けられている。
【００２１】
請求項８に記載の発明では、蓄積性蛍光体シートの他端側が前方になるようにして搬送ローラによりガイドシート付き蓄積性蛍光体シートが搬送される場合に、搬送ローラへ第２ガイドシートが先行して送り込まれるので、蓄積性蛍光体シートがカールしていてもジャミング等のトラブルを起こすことなく、搬送ローラにより安定してガイドシート付き蓄積性蛍光体シートを搬送することができる。
【発明の効果】
【００２２】
本発明は上記構成としたので、カセッテの出入口部から蓄積性蛍光体シートを容易に取り出すことができる。
【図面の簡単な説明】
【００２３】
【図１】本発明の第１実施形態に係るガイドシート付き蓄積性蛍光体シート及びカセッテを示す斜視図である。
【図２】本発明の第１実施形態に係るガイドシート付き蓄積性蛍光体シートが収容されたカセッテを示す斜視図である。
【図３】図２のＡ−Ａ断面図である。
【図４】本発明の第１実施形態に係るガイドシート付き蓄積性蛍光体シートを示す側面図である。
【図５】本発明の第１実施形態に係る放射線画像読取装置を示す全体図である。
【図６】本発明の第１実施形態に係るカセッテ装着部を示す平断面図である。
【図７】本発明の第１実施形態に係るカセッテ装着部を示す側断面図である。
【図８】本発明の第１実施形態に係るカセッテ装着部を示す側断面図である。
【図９】本発明の第２〜第４実施形態に係るガイドシート付き蓄積性蛍光体シートを示す側面図である。
【図１０】本発明の第５実施形態に係るガイドシート付き蓄積性蛍光体シートを示す平面図である。
【図１１】本発明の第６実施形態に係るガイドシート付き蓄積性蛍光体シートを示す平面図及び側断面図である。
【図１２】本発明の第７実施形態に係る第１ガイドシートを示す斜視図である。
【図１３】本発明の第８実施形態に係るガイドシート付き蓄積性蛍光体シートを示す側断面図である。
【図１４】本発明の第９実施形態に係るガイドシート付き蓄積性蛍光体シートを示す側断面図である。
【発明を実施するための形態】
【００２４】
図を参照しながら、本発明の第１実施形態を説明する。まず、本発明の第１実施形態であるガイドシート付き蓄積性蛍光体シートと、このガイドシート付き蓄積性蛍光体シートが収容されるカセッテについて説明する。
【００２５】
図１の斜視図に示すように、カセッテ１０は、収容体としての可撓性収容体１８、係合部２２、及び開閉手段としての遮光ファスナー２４を有している。また、ガイドシート付き蓄積性蛍光体シート１４０は、蓄積性蛍光体シート１６と、この蓄積性蛍光体シート１６の一端（先端）に取り付けられた第１ガイドシート１４２とを有している。
【００２６】
図２の斜視図、及び図２のＡ−Ａ断面図である図３に示すように、可撓性収容体１８は、内皮となる内シート３２、３４の側縁部同士をつないで形成された内袋体１２８と、外皮となる外シート１２、１４の側縁部同士をつないで形成され、内袋体１２８の外周を覆う外袋体１３０とを備える扁平状の容器であり、遮光状態で蓄積性蛍光体シート１６を収容する。
【００２７】
図３に示すように、可撓性収容体１８は、内袋体１２８内に形成された収容部屋２８と、外袋体１３０の内面と内袋体１２８外面の間に形成された収容部屋２６、３０とを有している。収容部屋２６は、外シート１２と内シート３２との間に形成され、収容部屋２８は、内シート３２と内シート３４との間に形成され、収容部屋３０は、内シート３４と外シート１４との間に形成されており、収容部屋２６、２８、３０は、図３において、上方から下方へ、この順に層状に重ねられて配置されている。
【００２８】
収容部屋２６には、鉛箔等の増感紙３６が着脱可能に収容され、収容部屋２８には、第１ガイドシート１４２を係合部２２から外部へ露出させて、蓄積性蛍光体シート１６が着脱可能に収容され、収容部屋３０には、鉛シート３８が着脱可能に収容されている。鉛シート３８は、プラスチック製シートと、このプラスチック製シートの上面に形成された鉛層とを有している。
【００２９】
すなわち、可撓性収容体１８に収容された蓄積性蛍光体シート１６の表面（図３では、蓄積性蛍光体シート１６の上面）と対向するように増感紙３６が設けられ、裏面（図３では、蓄積性蛍光体シート１６の下面）と対向するように鉛シート３８が設けられている。また、増感紙３６及び鉛シート３８は、平面視にて（図３では、カセッテ１０の外部側から外シート１２、１４の面を見て）蓄積性蛍光体シート１６の全てを覆うように設けられている。
【００３０】
外シート１２、１４、及び内シート３２、３４は、光を吸収し、遮光性を発揮する黒色の軟質塩化ビニル等のプラスチックにより形成されている。これにより、可撓性収容体１８は、可撓性を有し、可撓性を有する蓄積性蛍光体シート１６を収容した状態で、放射線撮影の対象となる金属パイプ等の被写体に巻き付けたり、被写体の内側に添わせたりして、自由に丸めて使用することができる。なお、外シート１２、１４、及び内シート３２、３４は、遮光性を有する可撓性のシートであればよい。
【００３１】
係合部２２は、可撓性収容体１８の前端縁１８Ａに接続されており、後に説明する放射線画像読取装置２０に装着することによって、可撓性収容体１８からの蓄積性蛍光体シート１６の出し入れが行われる出入口部を構成している。係合部２２は、外シート１２、１４、及び内シート３２、３４よりも硬い硬質プラスチックによって形成されている。
【００３２】
係合部２２には、収容部屋２８と連通し、蓄積性蛍光体シート１６が出入りする矩形断面の貫通孔を構成する口部としての開口部４２が形成されている。すなわち、係合部２２は、開口部４２の周囲を囲むように形成されている。また、上下面が略水平となるようにカセッテ１０を配置したときの開口部４２の前端部側の上下左右の各面には、外側へ拡幅するテーパー面４４、４６が形成されている（図１を参照のこと）。
【００３３】
また、図１に示すように、係合部２２の左右側面には、放射線画像読取装置２０に装着した係合部２２の係合状態を保持する爪部材４８が設けられている。爪部材４８は、弾性を有するアーム部５０と、アーム部５０の先端に形成され内側に尖った爪部５２とを有している。
【００３４】
図３に示すように、収容部屋２８の後端縁２８Ｂ付近には、収容部屋２８の開放と閉止とを行う遮光ファスナー２４が設けられている。遮光ファスナー２４は、内シート３４の内面に設けられたプラスチック製の凹部材と、内シート３２の内面に設けられたプラスチック製の凸部材とによって構成されており、凹部材の溝部に凸部材の突起部を嵌合することによって閉止され、収容部屋２８内の遮光状態が確保される。さらに、凹部材の溝部から凸部材の突起部を外すことによって開放される。また、蓄積性蛍光体シート１６は、係合部２２の開口部４２から挿入することによって収容部屋２８に収容される。
【００３５】
すなわち、遮光ファスナー２４は、係合部２２の反対側に位置する、可撓性収容体１８の後端部に設けられており、可撓性収容体１８（収容部屋２８）の開放と閉止とを行う開閉手段を構成している。また、遮光ファスナー２４の閉止によって、可撓性収容体１８（収容部屋２８）内の遮光状態が確保される。
【００３６】
図３に示すように、収容部屋２６の前端縁２６Ａは、係合部２２によって閉塞されており、収容部屋２６の後端縁２６Ｂ付近には、収容部屋２６の開放と閉止とを行う遮光ファスナー４０が設けられている。遮光ファスナー４０は、内シート３２の外面に設けられたプラスチック製の凹部材と、外シート１２の内面に設けられたプラスチック製の凸部材とによって構成された遮光ファスナー２４と同様のものであり、増感紙３６の出し入れは、開放した遮光ファスナー４０の開放口から行われる。また、遮光ファスナー４０を閉止することによって、収容部屋２６内の遮光状態が確保される。
【００３７】
図３に示すように、収容部屋３０の前端縁３０Ａは、係合部２２によって閉塞されており、収容部屋３０の後端縁３０Ｂ付近には、収容部屋３０の開放と閉止とを行う遮光ファスナー５４が設けられている。遮光ファスナー５４は、内シート３４の外面に設けられたプラスチック製の凹部材と、外シート１４の内面に設けられたプラスチック製の凸部材とによって構成された遮光ファスナー２４と同様のものであり、鉛シート３８の出し入れは、開放した遮光ファスナー５４の開放口から行われる。また、遮光ファスナー５４を閉止することによって、収容部屋３０内の遮光状態が確保される。
【００３８】
内シート３２、３４の内面には、不織布５６、５８が設けられており、これによって、可撓性収容体１８に収容された蓄積性蛍光体シート１６の表面（図３では、蓄積性蛍光体シート１６の上面）が不織布５６によって覆われ、裏面（図３では、蓄積性蛍光体シート１６の下面）が不織布５８によって覆われている。
【００３９】
図１、及び図４の側面図に示すように、ガイドシート付き蓄積性蛍光体シート１４０の第１ガイドシート１４２は、蓄積性蛍光体シート１６の前端面１４４と、第１ガイドシート１４２の後端面１４６とを対向させ接触させた状態で、第１ガイドシート１４２と蓄積性蛍光体シート１６との上下面を薄い接続テープ１４８により接続することによって、蓄積性蛍光体シート１６に取り付けられている。
【００４０】
第１ガイドシート１４２は、蓄積性蛍光体シート１６よりも塑性変形し難いイソプレンゴムによって形成されており、図２、３に示すように、蓄積性蛍光体シート１６を可撓性収容体１８に収容した状態で、係合部２２から外部へ露出する。
【００４１】
図４に示すように、蓄積性蛍光体シート１６は、放射線撮影に用いられる可撓性を有するシートであり、ＰＥＴ（ポリエチレンテレタラート）樹脂や塩化ビニル樹脂等のプラスチックによって形成された支持板１５０と、この支持板１５０の上面に形成された輝尽発光する蛍光体層１５２とによって構成されている（図３、４では、蓄積性蛍光体シート１６の表面（上面）が蛍光体層１５２となっている）。
【００４２】
例えば、放射線撮影の対象となる被写体を透過した放射線（Ｘ線、α線、β線、γ線、電子線、紫外線等）を蓄積性蛍光体シート１６の蛍光体層１５２に照射すると、この放射線エネルギーが蛍光体層１５２に蓄積される。そして、放射線エネルギーが蓄積された蛍光体層１５２に可視光やレーザ光等の励起光を照射することにより、蓄積されたエネルギー強度に応じた強さの光が輝尽発光光として発せられる。
【００４３】
後に説明する放射線画像読取装置２０は、この原理を利用して、被写体を透過した放射線画像情報を蓄積性蛍光体シート１６に一旦記録し、この蓄積性蛍光体シート１６から得られる輝尽発光光を光学的に読み取って画像信号に変換し、この画像信号に基づいて写真感光材料等の記録材料やＣＲＴ等の表示装置に放射線画像を可視化して再生させるものである。
【００４４】
可撓性収容体１８の遮蔽対象となる光は、蓄積性蛍光体シート１６の蛍光体層１５２に蓄積された放射線エネルギーを消失させてしまう光である。すなわち、放射線撮影の際に蓄積性蛍光体シート１６の蛍光体層１５２に照射される放射線の波長域を除く波長域の一部の光であり、例えば、屋内外で通常発生している照明光や太陽光等の可視光やＵＶ光等がこれに該当する。
【００４５】
図５（ａ）には、放射線画像読取装置２０の全体図が示されている。放射線画像読取装置２０を構成する筐体６０の右側の側壁面６２の上部には、カセッテ１０が着脱されるカセッテ装着部６４が設けられている。筐体６０の内部には、カセッテ１０内と同程度の遮光状態が確保されている。また、カセッテ装着部６４の下方には、カセッテ装着部６４に装着されたカセッテ１０が略水平に置かれる支持台６６が設けられている。
【００４６】
カセッテ装着部６４付近を拡大した図６（ａ）の平断面図に示すように、カセッテ装着部６４は、カセッテ１０からガイドシート付き蓄積性蛍光体シート１４０が送り込まれる挿入口６８の外周部から突出して設けられ、カセッテ１０の係合部２２と係合する被係合部７０によって構成されている。
【００４７】
図６（ｂ）の平断面図に示すように、カセッテ装着部６４の被係合部７０へカセッテ１０の係合部２２を挿入して係合することにより、爪部材４８のアーム部５０の有する弾性力によって、爪部５２が被係合部７０の左右側面に形成されている凹部７２へ入り込む。これによって、被係合部７０に係合された係合部２２の係合状態を保持し、カセッテ装着部６４から係合部２２が外れてしまうのを防ぐことができる。また、係合部２２は硬い硬質プラスチックによって形成されているので、確実に被係合部７０に係合することができる。
【００４８】
図５（ａ）に示すように、筐体６０の内部には、シート搬送経路７４、画像読取エリア７６、シート退避エリア７８、及び画像消去エリア８０が備えられている。シート搬送経路７４は、間にガイドシート付き蓄積性蛍光体シート１４０を挟持して正回転又は逆回転することによりガイドシート付き蓄積性蛍光体シート１４０を搬送する一対の搬送ローラ８２、８４を複数配置した、３つの直線経路８６、８８、９０と２つの曲線経路９２、９４とからなる略Ｕ字状の経路である。
【００４９】
直線経路８６、８８、９０は、挿入口６８からシート退避エリア７８へ向かう方向Ｘに対して、上流側から下流側へ向かってこの順に配置されている。また、曲線経路９２は、直線経路８６と直線経路８８とをつなぐように配置され、曲線経路９４は、直線経路８８と直線経路９０とをつなぐように配置されている。なお、第１実施形態では、図５（ａ）〜（ｄ）に描かれている、搬送ローラ８２の正回転を時計回りの回転とし、搬送ローラ８４の正回転を反時計回りの回転とし、搬送ローラ８２の逆回転を反時計回りの回転とし、搬送ローラ８４の逆回転を時計回りの回転とする。
【００５０】
画像読取エリア７６は、直線経路８８の中間位置に配置されており、画像読取エリア７６には、励起光走査ユニット９６及び画像読取ユニット９８が配設されている。
【００５１】
励起光走査ユニット９６では、レーザ光源から出力された励起光Ｌを、ポリゴンミラー等によって主走査方向（方向Ｘと直交する蓄積性蛍光体シート１６の面方向）へ偏向し、搬送ローラ８２、８４によって副走査方向（方向Ｘ）へ移動する蓄積性蛍光体シート１６の蛍光体層１５２へ照射して走査する。
【００５２】
画像読取ユニット９８では、励起光Ｌが照射された蓄積性蛍光体シート１６の蛍光体層１５２から発せられる輝尽発光光を、集光ガイド１００を介して光電変換器１０２へ導き入れて電気信号に変換する。
【００５３】
退避エリア７８は、搬送ローラ８２、８４によってガイドシート付き蓄積性蛍光体シート１４０が方向Ｘへ搬送される往路の終点位置に配置されている。
【００５４】
画像消去エリア８０は、搬送ローラ８２、８４によって蓄積性蛍光体シート１６が方向Ｘと逆方向の方向Ｙへ搬送される復路の終点位置に配置されており、画像消去エリア８０には、画像消去ユニット１０４が配設されている。
【００５５】
画像消去ユニット１０４は、直線経路８６側の面が開口しているケース１０６と、このケース１０６内に設けられた冷陰極蛍光管等からなる複数の消去光源１０８とによって構成されている。
【００５６】
放射線画像読取装置２０によって蓄積性蛍光体シート１６の放射線画像を読み取る方法は、まず、図５（ａ）、及び図７（ａ）の側断面図に示すように、放射線撮影により被写体の放射線画像情報が記録され、予め第１ガイドシート１４２が取り付けられている蓄積性蛍光体シート１６が収容されているカセッテ１０を、蓄積性蛍光体シート１６の蛍光体層１５２（表面）が下面となる向きになるようにして支持台６６の上に置く。
【００５７】
次に、カセッテ１０の係合部２２をカセッテ装着部６４の被係合部７０に係合して、カセッテ１０をカセッテ装着部６４に装着する。これにより、図７（ｂ）の側断面図に示すように、カセッテ１０の係合部２２から外部へ露出している第１ガイドシート１４２の先端部が、挿入口６８付近に設けられた搬送ローラ８２、８４に接触して送り込まれる。
【００５８】
次に、図５（ｂ）に示すように、ガイドシート付き蓄積性蛍光体シート１４０は、正回転する搬送ローラ８２、８４によって、直線経路８６、曲線経路９２、直線経路８８の順に方向Ｘへ往路搬送されて、画像読取エリア７６に到達する。画像読取エリア７６では、励起光走査ユニット９６により、蓄積性蛍光体シート１６の蛍光体層１５２に対して励起光Ｌの走査が行われ、画像読取ユニット９８により、励起光Ｌが照射された蓄積性蛍光体シート１６の蛍光体層１５２から発せられる輝尽発光光を電気信号に変換する。そして、この電気信号は、外部の画像情報処理装置に放射線画像情報として送られる。
【００５９】
次に、図５（ｃ）に示すように、画像読取エリア７６を通過したガイドシート付き蓄積性蛍光体シート１４０は、正回転する搬送ローラ８２、８４によって、曲線経路９４、直線経路９０の順に方向Ｘへ往路搬送されて退避エリア７８に到達する。
【００６０】
次に、図５（ｄ）に示すように、退避エリア７８に到達したガイドシート付き蓄積性蛍光体シート１４０は、逆回転する搬送ローラ８２、８４によって、直線経路９０、曲線経路９４、直線経路８８、曲線経路９２、直線経路８６の順に方向Ｙへ復路搬送されて画像消去エリア８０に到達する。画像消去エリア８０では、画像消去ユニット１０４より、複数の消去光源１０８から発せられる消去光を蓄積性蛍光体シート１６の蛍光体層１５２に照射して、蓄積性蛍光体シート１６の蛍光体層１５２に残存する放射線エネルギーを消去する。
【００６１】
次に、画像消去エリア８０を通過したガイドシート付き蓄積性蛍光体シート１４０の蓄積性蛍光体シート１６は、逆回転する搬送ローラ８２、８４によって、挿入口６８を介して係合部２２の開口部４２へ送り込まれ、カセッテ１０（収容部屋２８）内へ収容される。そして、最後に、カセッテ装着部６４からカセッテ１０を取り外す。
【００６２】
次に、本発明の第１実施形態のガイドシート付き蓄積性蛍光体シートと、このガイドシート付き蓄積性蛍光体シートが収容されるカセッテとの作用と効果について説明する。
【００６３】
放射線撮影により蓄積性蛍光体シートに蓄積された放射線エネルギーは、この蓄積性蛍光体シートが露光されることによって消失してしまうので、蓄積性蛍光体シートに記録された放射線画像を放射線画像読取装置により読み取るまでは、遮光状態にしておく必要がある。このため、蓄積性蛍光体シートを収容する従来の可撓性カセットは、蓄積性蛍光体シートの出入口部以外には開口部がない密閉状態の構造になっている。これにより、蓄積性蛍光体シートの出入口部から蓄積性蛍光体シートを取り出すことが難しい。
【００６４】
特に、蓄積性蛍光体シートを収容する可撓性収容体の内壁面と接触した状態で蓄積性蛍光体シートが収容されるカセッテにおいては、カセッテから蓄積性蛍光体シートを取り出すことが難しい。
【００６５】
これに対して、第１実施形態のガイドシート付き蓄積性蛍光体シート１４０では、図２に示すように、蓄積性蛍光体シート１６の一端に取り付けられた第１ガイドシート１４２が係合部２２から外部へ露出しているので、この第１ガイドシート１４２を搬送手段（図５（ａ）では、搬送ローラ８２、８４）により引っ張ることによって、蓄積性蛍光体シート１６をカセッテ１０内から容易に引き出して、放射線画像読取装置２０内へ送り出すことができる。すなわち、カセッテ１０の係合部２２（開口部４２）から蓄積性蛍光体シート１６を容易に取り出すことができる。
【００６６】
また、カセッテ１０は、可撓性を有しているので、可撓性を有する蓄積性蛍光体シート１６が収容されたカセッテ１０を、放射線画像撮影の被写体に巻き付けたり（例えば、金属パイプ等に巻き付けたり）、被写体の曲面に添わせたりして使用することができる。
【００６７】
蓄積性蛍光体シート１６を収容したカセッテ１０を丸めた状態で放射線撮影を行う場合、蓄積性蛍光体シート１６に巻き癖がついて、蓄積性蛍光体シート１６がカールしてしまうことが考えられる。
【００６８】
蓄積性蛍光体シートに巻き癖がつく理由の１つとして、蓄積性蛍光体シートが、支持板と、この支持板の上面に形成された蛍光体層とによって構成された２層構造の部材であることが考えられる。支持板は、プラスチックによって形成され、蛍光体層は、蓄積性蛍光体粒子と結合剤とによって形成されている。また、支持板と結合剤とは、共に高分子材料であるので、弾性と粘性（塑性）との両方の性質を有している。よって、蓄積性蛍光体シートを丸めた場合、蓄積性蛍光体シートの外側は内側よりも大きな張力が発生して長く伸び、張力が開放された後においても粘性（塑性）によって元の長さに戻らなくなってしまう。これにより、蓄積性蛍光体シートの外側と内側の長さが異なって巻き癖がついてしまう。
【００６９】
このように蓄積性蛍光体シートに巻き癖がついてカールしているときには、カセッテ１０から蓄積性蛍光体シートを取り出すことが更に難しくなるが、第１実施形態のカセッテ１０では、蓄積性蛍光体シート１６がカールしてしまっていても、係合部２２から外部へ露出する第１ガイドシート１４２を引っ張ることによって、カセッテ１０の係合部２２（開口部４２）から蓄積性蛍光体シート１６を容易に取り出すことができる。
【００７０】
また、図８（ａ）の側断面図に示すように、放射線画像読取装置２０内に配設され、回転する搬送ローラ８２、８４の間に従来の蓄積性蛍光体シート１１０を挟んで搬送する場合、蓄積性蛍光体シート１１０がカールしていると、搬送ローラ８２、８４の間に蓄積性蛍光体シート１１０が上手く送り込まれずにジャミング等のトラブルを起こすことが懸念される。
【００７１】
これに対して、第１実施形態のガイドシート付き蓄積性蛍光体シート１４０では、図８（ｂ）の側断面図に示すように、搬送ローラ８２、８４へ第１ガイドシート１４２が先行して送り込まれるので、蓄積性蛍光体シート１６がカールしていても、ジャミング等のトラブルを起こすことなく、搬送ローラ８２、８４により安定してガイドシート付き蓄積性蛍光体シート１４０を搬送することができる。
【００７２】
さらに、第１実施形態では、図３に示すように、可撓性収容体１８の後端部に設けられている遮光ファスナー２４を閉止することにより、可撓性収容体１８の収容部屋２８内を遮光状態にすることができる。これにより、放射線画像が記録された蓄積性蛍光体シート１６が露光されて、蓄積性蛍光体シート１６に蓄積された放射線エネルギーが消失するのを防ぐことができる。
【００７３】
また、第１実施形態では、図３に示すように、開閉手段を遮光ファスナー２４によって構成することにより、可撓性収容体１８の収容部屋２８を確実に閉止することができる。
【００７４】
さらに、第１実施形態では、可撓性収容体１８の後端部に設けられている遮光ファスナー２４を開放して、可撓性収容体１８の収容部屋２８内を効率よくクリーニングすることができる。これにより、可撓性収容体１８の収容部屋２８内にある異物を除去することができるので、カセッテ１０に収容された蓄積性蛍光体シート１６の蛍光体層１５２が異物によって傷つくのを防ぐことができる。蓄積性蛍光体シート１６の蛍光体層１５２に傷がつくと、所定の放射線画像が得られなくなってしまうことがある。
【００７５】
また、第１実施形態では、図１に示すように、係合部２２の前端部側の開口部４２に、外側へ拡幅するテーパー面４４、４６が形成されているので、蓄積性蛍光体シート１６を、係合部２２の開口部４２から可撓性収容体１８の収容部屋２８内へ挿入し易くすることができる。
【００７６】
さらに、第１実施形態では、図３に示すように、蓄積性蛍光体シート１６の裏面側に配置された鉛シート３８により、放射線撮影の際に蓄積性蛍光体シート１６を透過した放射線が反射して再び蓄積性蛍光体シート１６に照射されることを防ぐことができる。これにより、蓄積性蛍光体シート１６の蛍光体層１５２に形成される放射線画像の画質を向上させることができる。また、蓄積性蛍光体シート１６の表面側に配置された増感紙３６により、増感紙３６を透過して蓄積性蛍光体シート１６に照射される放射線を増感させることができる。
【００７７】
また、第１実施形態では、鉛シート３８が、プラスチック製シートと、この鉛ラスチック製シートの上に形成された鉛層とによって構成されているので、鉛シート３８が曲げられたときに、鉛層にしわがつきにくい。これによって、鉛シート３８によって放射線画像の画質を向上させる効果を鉛シート３８全面に対してムラなく発揮させることができる。
【００７８】
また、第１実施形態では、図３に示すように、蓄積性蛍光体シート１６、鉛シート３８、及び増感紙３６をそれぞれ別の収容部屋２６、２８、３０に収容することにより、蓄積性蛍光体シート１６と鉛シート３８や、蓄積性蛍光体シート１６と増感紙３６とが擦れ合って、蓄積性蛍光体シート１６の表面（蛍光体層１５２）や裏面が傷つくのを防ぐことができる。
【００７９】
さらに、不織布５６、５８によって蓄積性蛍光体シート１６を保護することにより、蓄積性蛍光体シート１６の表面（蛍光体層１５２）や裏面が傷つくのを防ぐことができる。特に、蓄積性蛍光体シート１６の蛍光体層１５２に１００ミクロン程度の微細な傷がつくのを防ぐことができるので、被写体の有する１００ミクロン程度の微細な欠陥を検出することができる。
【００８０】
なお、第１実施形態では、第１ガイドシート１４２を、蓄積性蛍光体シート１６よりも塑性変形し難いイソプレンゴムによって形成した例を示したが、蓄積性蛍光体シート１６よりも塑性変形し難い第１ガイドシート１４２を形成する材料としては、高分子材料の中でも弾性が粘性（塑性）に比べて相対的に大きい材料が好ましく、例えば、ウレタンゴム、フッ素ゴム等を用いることができる。
【００８１】
また、第１実施形態では、図５（ａ）に示すように、予め第１ガイドシート１４２が取り付けられている蓄積性蛍光体シート１６が収容されているカセッテ１０を、放射線画像読取装置２０のカセッテ装着部６４に装着した例を示したが、第１ガイドシート１４２は、どのタイミングで蓄積性蛍光体シート１６に取り付けてもよい。放射線撮影をするためにカセッテ１０に蓄積性蛍光体シート１６を収容する前が好ましい。
【００８２】
さらに、第１実施形態では、図４に示すように、蓄積性蛍光体シート１６の前端面１４４と、第１ガイドシート１４２の後端面１４６とを対向させ接触させた状態で、第１ガイドシート１４２と蓄積性蛍光体シート１６との上下面を薄い接続テープ１４８により接続することによって、第１ガイドシート１４２を蓄積性蛍光体シート１６に取り付けた例を示したが、第１ガイドシート１４２を引っ張ってカセッテ１０からガイドシート付き蓄積性蛍光体シート１４０を引き出す際や、搬送ローラ８２、８４等の搬送手段によってガイドシート付き蓄積性蛍光体シート１４０が搬送される際に外れてしまわなければ、どのような方法で第１ガイドシート１４２を蓄積性蛍光体シート１６に取り付けてもよい。
【００８３】
例えば、図９（ａ）〜（ｃ）の側面図に示す第２〜第４実施形態のような方法によって、第１ガイドシート１４２を蓄積性蛍光体シート１６に取り付けてもよい。図９（ａ）では、蓄積性蛍光体シート１６の端部に形成された楔状の切り欠き部１５４に、第１ガイドシート１４２に形成された楔状の突片部１５６を収容し、接続面同士を溶着、接着剤、マジックテープ（登録商標）等によって接着して、第１ガイドシート１４２を蓄積性蛍光体シート１６に取り付けている。なお、第１ガイドシート１６の端部に楔状の切り欠き部を形成し、蓄積性蛍光体シート１６の端部に、この切り欠き部に収容される楔状の突片部を形成してもよい。
【００８４】
図９（ｂ）では、蓄積性蛍光体シート１６の端部に形成された矩形状の切り欠き部１５８に、第１ガイドシート１４２に形成された矩形状の突片部１６０を収容し、接続面同士を溶着、接着剤、マジックテープ（登録商標）等によって接着して、第１ガイドシート１４２を蓄積性蛍光体シート１６に取り付けている。なお、第１ガイドシート１４２の端部に矩形状の切り欠き部を形成し、蓄積性蛍光体シート１６の端部に、この切り欠き部に収容される矩形状の突片部を形成してもよい。
【００８５】
図９（ｃ）では、第１ガイドシート１４２を上下に裂いて蓄積性蛍光体シート１６の端部を上下から挟み込み、接続面同士を溶着、接着剤、マジックテープ（登録商標）等によって接着して、第１ガイドシート１４２を蓄積性蛍光体シート１６に取り付けている。なお、蓄積性蛍光体シート１６を上下に裂いて第１ガイドシート１４２の端部を上下から挟み込むようにしてもよい。
【００８６】
図９（ａ）、（ｂ）のようにすれば、第１ガイドシート１４２が蓄積性蛍光体シート１６に取り付けられる取り付け（接続）部分の厚さを、第１ガイドシート１４２や蓄積性蛍光体シート１６の厚さと同じにすることができる。すなわち、取り付け部分の厚さを厚くすることなく、確実に第１ガイドシート１４２を蓄積性蛍光体シート１６に取り付けることができる。
【００８７】
搬送ローラ８２、８４等の搬送手段によってガイドシート付き蓄積性蛍光体シート１４０を搬送する場合、ガイドシート付き蓄積性蛍光体シート１４０をスムーズに送り出すために、第１ガイドシート１４２と蓄積性蛍光体シート１６との厚さを等しくしたり、第１ガイドシート１４２が蓄積性蛍光体シート１６に取り付けられる取り付け（接続）部分の段差を出来るだけ小さく（薄く）したりするのが好ましい。
【００８８】
また、例えば、図１０の平面図に示す第５実施形態のように、第１ガイドシート１４２又は蓄積性蛍光体シート１６の端部に突片部１６２を横並びに複数形成し、蓄積性蛍光体シート１６又は第１ガイドシート１４２の端部に、この突片部１６２が嵌合される切り欠き部１６４を横並びに複数形成してもよい。さらに、図１１（ａ）の平面図、及び図１１（ａ）のＢ−Ｂ断面図である図１１（ｂ）に示す第６実施形態のように、突片部１６２及び切り欠き部１６４を上下二段に形成する構成にしてもよい。図１１（ｂ）では、第１ガイドシート１４２又は蓄積性蛍光体シート１６の端部上段に形成された突片部１６２の下方に、蓄積性蛍光体シート１６又は第１ガイドシート１４２の端部下段に形成された突片部１６２が嵌合される切り欠き部１６４が形成されている。
【００８９】
さらに、図９（ａ）〜（ｃ）、図１０、図１１（ａ）、（ｂ）の方法と、図４に示した接続テープ１４８による接続方法を併用してもよい。
【００９０】
また、第１実施形態では、図４に示すように、第１ガイドシート１４２を蓄積性蛍光体シート１６の一端に取り付けた例を示したが、第１ガイドシート１４２は、取り外しが出来ないように蓄積性蛍光体シート１６に完全に固定してもよいし、蓄積性蛍光体シート１６に着脱可能に取り付けるようにしてもよい。第１ガイドシート１４２を蓄積性蛍光体シート１６に着脱可能に取り付けるようにすれば、例えば、放射線撮影において蓄積性蛍光体シート１６が収容されたカセッテ１０を被写体に取り付ける際に、蓄積性蛍光体シート１６から第１ガイドシート１４２を外しておけば、カセッテ１０を被写体に収まり易くすることができる。
【００９１】
さらに、第１実施形態で示した第１ガイドシート１４２の表面を、図１２の斜視図に示す第７実施形態のように、凹凸面又は粗面としてもよい。図１２には、波状の凹凸面１６６が第１ガイドシート１４２の表裏面に形成されている。このようにすれば、第１ガイドシート１４２の表面の摩擦抵抗を大きくすることができ、一対の搬送ローラ８２、８４の間に食い付き易くすることができる。これによって、搬送ローラ８２、８４により確実に第１ガイドシート１４２を送り出す（引き出す）ことができる。
【００９２】
また、第１実施形態では、図７（ｂ）に示すように、カセッテ１０をカセッテ装着部６４に装着することにより、第１ガイドシート１４２の先端部が、挿入口６８付近に設けられた搬送ローラ８２、８４に接触して送り込まれる例を示したが、図１３（ａ）、（ｂ）の側断面図に示す第８実施形態のように、搬送ローラ８２、８４をマグネットローラにし、第１ガイドシート１４２の先端部に磁性体としてのマグネット１６８を設けて、第１ガイドシート１４２のマグネット１６８が搬送ローラ８２、８４へ磁力により引き付けられることにより、カセッテ１０からガイドシート付き蓄積性蛍光体シート１４０が引き出されるようにしてもよいし、第１ガイドシート１４２を搬送ローラ８２、８４へ導き易くしてもよい。図１３（ａ）には、カセッテ１０をカセッテ装着部６４に装着した状況が示され、図１３（ｂ）には、カセッテ１０から磁力によってガイドシート付き蓄積性蛍光体シート１４０が引き出されている状況が示されている。
【００９３】
さらに、第１ガイドシート１４２を搬送ローラ８２、８４へ誘導するための他の誘導手段を用いてもよい。例えば、図１４（ａ）、（ｂ）の側断面図に示す第９実施形態のように、吸盤１７０を用いた誘導手段１７２により、第１ガイドシート１４２を搬送ローラ８２、８４へ誘導するようにしてもよい。図１４（ａ）には、カセッテ１０をカセッテ装着部６４に装着した状況が示され、図１４（ｂ）には、吸盤１７０に吸着され保持された第１ガイドシート１４２が搬送ローラ８２、８４へ誘導されている状況が示されている。
【００９４】
また、第１実施形態では、図４に示すように、第１ガイドシート１４２を、蓄積性蛍光体シート１６の一端（ガイドシート付き蓄積性蛍光体シート１４０の前方側）に取り付けた例を示したが、蓄積性蛍光体シート１６の他端（ガイドシート付き蓄積性蛍光体シート１４０の後方側）に、蓄積性蛍光体シート１６よりも塑性変形し難い第２ガイドシート（不図示）を取り付けてもよい。
【００９５】
図５（ａ）〜（ｄ）で説明したように、ガイドシート付き蓄積性蛍光体シート１４０は、複数の搬送ローラ８２、８４に送り出されながら往路搬送（方向Ｘへ搬送）されるので、蓄積性蛍光体シート１６に巻き癖がついていても、この往路搬送によって巻き癖が無くなる又は弱くなるので、往路搬送において後方側に位置している蓄積性蛍光体シート１６の他端が前方になるガイドシート付き蓄積性蛍光体シート１４０の復路搬送（方向Ｙへの搬送）においては、蓄積性蛍光体シート１６が搬送ローラ８２、８４に詰まるジャミング等のトラブルの心配はないが、強い巻き癖が付いている蓄積性蛍光体シート１６であったり、巻き癖が直りにくい材料によって形成されている蓄積性蛍光体シート１６であったりする場合には、蓄積性蛍光体シート１６の他端に、蓄積性蛍光体シート１６よりも塑性変形し難い第２ガイドシートを取り付けることにより、搬送ローラ８２、８４へ第２ガイドシートが先行して送り込まれるので、蓄積性蛍光体シート１６がカールしていても、ジャミング等のトラブルを起こすことなく、搬送ローラ８２、８４により安定してガイドシート付き蓄積性蛍光体シート１４０を搬送することができる。
【００９６】
さらに、第１実施形態では、図３に示すように、係合部２２の開口部４２が常に開放されている状態になっているが、放射線撮影における放射線画像情報の記録領域として蓄積性蛍光体シート１６の前端部付近の領域を使用しなければ、開口部４２から多少の光（蓄積性蛍光体シート１６の前端部付近以外の領域に蓄積された放射線エネルギーを消失してしまって放射線画像の読み取りができなくなってしまわない程度の量の光）が入射しても問題とはならない。
【００９７】
また、第１実施形態では、図３に示すように、収容部屋２８の後端縁２８Ｂに開閉手段としての遮光ファスナー２４を設けた例を示したが、開閉手段は収容部屋２８の他の部位に設けてもよい。例えば、収容部屋２８の側縁部に開閉手段を設けるようにしてもよい。このようにすれば、収容部屋２８を大きく開けることができるので、収容部屋２８内をより効率よくクリーニングすることができる。また、開口部４２から収容部屋２８内の十分なクリーニングが可能であれば、収容部屋２８に開閉手段を設けなくてもよい。
【００９８】
さらに、第１実施形態では、図３に示すように、収容部屋２６、２８、３０を開閉する開閉手段を遮光ファスナー２４、４０、５４とした例を示したが、開閉手段は、収容部屋２６、２８、３０を開閉でき、且つ閉止したときに遮光性を確保できるものであればよく、例えば、マジックテープ（登録商標）、磁石、クリップ等を用いて開閉手段を構成してもよい。
【００９９】
また、第１実施形態では、係合部２２を硬い硬質プラスチックによって形成した例を示したが、係合部２２を柔らかい材料によって形成してもよい。このようにすれば、放射線撮影においてカセッテ１０の長手方向が被写体の周方向になるようにカセッテ１０を丸める際に、カセッテ１０を丸め易くすることができる。さらには、カセッテ１０の短手方向が被写体の周方向になるようにカセッテ１０を丸めることもできる。
【０１００】
また、第１実施形態では、図１に示すように、係合部２２の左右側面に、係合保持用の爪部材４８を設けた例を示したが、カセッテ装着部６４側に爪部材４８を設けてもよい。このようにすれば、係合部２２の周囲から爪部材４８を無くすことができるので、放射線撮影においてカセッテ１０を被写体に取り付ける際に、収まり易くすることができる。
【０１０１】
さらに、第１実施形態では、図３に示すように、収容部屋２６に増感紙３６を収容し、収容部屋３０に鉛シート３８を収容した例を示したが、放射線撮影において蓄積性蛍光体シート１６の蛍光体層１５２に形成される放射線画像の画質を向上させるための他のシートを収容部屋２６、３０に収容してもよい。また、不要な場合には、増感紙や鉛シート等のシートを収容部屋２６、３０の何れか又は両方に収容させなくてもよいし、カセッテ１０を、増感紙や鉛シート等のシート（収容部屋２６、３０）を備えないものにしてもよい。
【０１０２】
例えば、収容部屋２６に変換用フィルタとなる鉛シートを収容すれば、放射線撮影の際に、この鉛シートを通して必要な強度や線種の放射線を蓄積性蛍光体シート１６の蛍光体層１５２へ照射させることができる。
【０１０３】
また、第１実施形態では、図３に示すように、収容部屋２６に増感紙３６を収容し、収容部屋３０に鉛シート３８を収容した例を示したが、図３における蓄積性蛍光体シート１６及び増感紙３６や、蓄積性蛍光体シート１６及び鉛シート３８を間に挟み、平面視にて（図３では、カセッテ１０の外部側から外シート１２、１４の面を見て）増感紙３６及び鉛シート３８から食み出させると共に、増感紙３６及び鉛シート３８の全てを覆うようにして、カセッテ１０内に一対のマグネットプレートを設けるようにしてもよい。
【０１０４】
このようにすれば、磁力により互いに引き付け合う一対のマグネットプレートによって、増感紙３６及び鉛シート３８が蓄積性蛍光体シート１６側へ付勢され、蓄積性蛍光体シート１６に増感紙３６及び鉛シート３８を近接させる、又は密着させることができる。これにより、放射線撮影を行った際に蓄積性蛍光体シート１６の蛍光体層１５２に形成される放射線画像の画質を向上させることができる。
【０１０５】
さらに、第１実施形態では、図５（ａ）に示すように、放射線撮影により被写体の放射線画像情報が記録された蓄積性蛍光体シート１６の蛍光体層１５２（表面）が下面となる向きになるように、支持台６６の上にカセッテ１０を置いた例を示したが、係合部２２、外シート１２、１４や、内シート３２、３４に、可撓性収容体１８の表裏面を識別する識別表示部を設ければ、識別表示部によって可撓性収容体の表裏面を識別することができる。これにより、可撓性収容体の表裏面が所定の向きになるようにして、カセッテを放射線画像読取装置に装着することができる。
【０１０６】
また、可撓性収容体１８の表裏面が所定の向きになっているときに、カセッテ１０を放射線画像読取装置２０のカセッテ装着部６４に装着可能となるようにしてもよい。この方法によれば、可撓性収容体１８の表裏面が所定の向きになるようにして、カセッテ１０を放射線画像読取装置２０に装着することができるので、可撓性収容体１８の表裏面に対して正しい面の向きになるように蓄積性蛍光体シート１６を可撓性収容体１８に収容しておけば、正しい面の向きでカセッテ１０から放射線画像読取装置２０へ蓄積性蛍光体シート１６を送り出すことができる。
【０１０７】
また、第１実施形態では、可撓性を有するカセッテ１０の例を示したが、カセッテ１０は、可撓性を有さないものであってもよい。
【０１０８】
また、第１実施形態では、図５（ａ）に示すように、カセッテ装着部６４にカセッテ１０を装着する例を示したが、カセッテ１０は、カセッテ１０内の遮光状態（蓄積性蛍光体シート１６に蓄積された放射線エネルギーを消失してしまって放射線画像の読み取りができなくなってしまう量の光を蓄積性蛍光体シート１６に照射させない状態）を十分に確保するものなので、放射線画像読取装置２０のカセッテ装着部６４にカセッテ１０を装着する作業を暗室内で行わなくても良い。
【０１０９】
これまで説明したように、本発明の実施形態であるガイドシート付き蓄積性蛍光体シート１４０は、放射線撮影に用いられるものであるが、このガイドシート付き蓄積性蛍光体シート１４０は、航空機、発電設備、石油設備などの様々な産業用機械、設備、施設等に対して行われる放射線検査に広く利用可能な技術である。
【０１１０】
以上、本発明の実施形態について説明したが、本発明はこうした実施形態に何等限定されるものでなく、本発明の要旨を逸脱しない範囲において、種々なる態様で実施し得ることは勿論である。
【符号の説明】
【０１１１】
１６  蓄積性蛍光体シート
１８  可撓性収容体（収容体）
２２  係合部（出入口部）
１４０  ガイドシート付き蓄積性蛍光体シート
１４２  第１ガイドシート
１５４、１５８、１６４  切り欠き部
１５６、１６０、１６２  突片部
１６６  凹凸面
【図１】
2013228464.tif 000003
【図２】
2013228464.tif 000004
【図３】
2013228464.tif 000005
【図４】
2013228464.tif 000006
【図５】
2013228464.tif 000007
【図６】
2013228464.tif 000008
【図７】
2013228464.tif 000009
【図８】
2013228464.tif 000010
【図９】
2013228464.tif 000011
【図１０】
2013228464.tif 000012
【図１１】
2013228464.tif 000013
【図１２】
2013228464.tif 000014
【図１３】
2013228464.tif 000015
【図１４】
2013228464.tif 000016